Podtech/llm-jp-corpus-v4-ja_patent huggingface dataset:
(57)【要約】【課題】異なる場所で照明装置の点灯、消灯等のリモート操作を行う。【解決手段】照明装置１４において、複数のリモート操作用のスイッチ紐２２、２４、２６を備えたので、起きている時、就寝時等において、異なる場所で照明装置１４の点灯、消灯、輝度調節等のリモート操作を行うことが可能となる。【選択図】図１
0003116644.tif 000002
【実用新案登録請求の範囲】
【請求項１】
照明装置の点灯、消灯、輝度調節等のリモート操作を行うスイッチ紐を備えた照明装置において、
複数のリモート操作用のスイッチ紐を備えたことを特徴とする照明装置。
【請求項２】
照明装置の点灯、消灯、輝度調節等のリモート操作を行うスイッチ紐において、
複数のリモート操作用のスイッチ紐に分岐する分岐部を備えたことを特徴とするスイッチ紐。
【考案の詳細な説明】
【技術分野】
【０００１】  本考案は、照明装置の点灯、消灯、輝度調節等のリモート操作を行う照明装置、並びにスイッチ紐に関するものである。
【背景技術】
【０００２】  天井に設置する家庭用照明装置等では、リモート操作を行うスイッチ紐が設けられており、スイッチ紐を引く毎に照明の点灯、消灯、輝度調節等の操作を行うことが可能となっている。また、このスイッチ紐を延長するための紐も市販されており、就寝時等において照明装置の操作を容易にすることが可能となっている。
また、従来から、天井に設置する家庭用照明装置の点灯、消灯をリモート操作する光線式ワイヤレスリモコンも販売されている。
【考案の開示】
【考案が解決しようとする課題】
【０００３】  従来のスイッチ紐付の照明装置等では、操作するスイッチ紐が一本であったので、照明の点灯、消灯、輝度調節等のリモート操作を一カ所でしか行うことができないという不具合を生じていた。
また、光線式ワイヤレスリモコン式のリモート操作も、リモコンを持っていないと操作できないという煩わしさがあった。
【課題を解決するための手段】
【０００４】  本考案は、照明装置の点灯、消灯、輝度調節等のリモート操作を行うスイッチ紐を備えた照明装置において、複数のリモート操作用のスイッチ紐を備えたことを特徴とする。【０００５】  また本考案は、照明装置の点灯、消灯、輝度調節等のリモート操作を行うスイッチ紐において、複数のリモート操作用のスイッチ紐に分岐する分岐部を備えたことを特徴とする。
【考案の効果】
【０００６】  本考案は、照明装置において複数のリモート操作用のスイッチ紐を備えたので、起きている時、就寝時等において、異なる場所で照明装置の点灯、消灯、輝度調節等のリモート操作を行うことが可能となる。【０００７】  また本考案は、照明装置のリモート操作用スイッチ紐において、複数のスイッチ紐に分岐する分岐部を備えたので、照明装置に複数のスイッチを設けることなく、異なる場所で照明装置の点灯、消灯、輝度調節等のリモート操作を行うことが可能となる。
【考案を実施するための最良の形態】
【０００８】  図１は、本考案に係るスイッチ紐を備えた照明装置とその使用状態を示す図である。【０００９】  同図に示すように、部屋１０の天井１２には照明装置１４が設置されており、照明装置１４からは複数のスイッチ紐に分岐する分岐部１６を介して、スイッチ紐２２、２４、２６がぶら下がっている。【００１０】  スイッチ紐２２は、照明装置１４の案内部材１８を介して直接ぶら下がっており、主に利用者が起きている場合に、照明装置の点灯、消灯、輝度調節等のリモート操作を行うためのスイッチ紐である。【００１１】  スイッチ紐２４は、照明装置１４の案内部材１８と、壁に固定した案内部材２８を介してぶら下がっており、主に利用者が就寝する際に、照明装置の点灯、消灯、輝度調節等のリモート操作を行うためのスイッチ紐である。【００１２】  スイッチ紐２６は、照明装置１４の案内部材１８と、壁に固定した案内部材２８を介して扉３０の近くにぶら下がっており、主に利用者が部屋１０に入退出する際に、照明装置の点灯、消灯、輝度調節等のリモート操作を行うためのスイッチ紐である。【００１３】  図２は、本考案に係るスイッチ紐の分岐部を説明する図である。
同図に示すように、照明装置１４の点灯、消灯、輝度調節等の輝度調節を行うスイッチに接続されているスイッチ紐２０には、着脱容易な金具を備えた分岐部１６が接続されており、分岐部１６には、複数のリモート操作用のスイッチ紐２２、２４…を接続してある。【００１４】  同図に示すように、照明装置１４のスイッチ紐２０に分岐部１６を介して複数のリモート操作用のスイッチ紐２２、２４…を接続することによって、スイッチ紐２２、２４等のいずれを操作した場合であっても、照明装置１４に対して同様のリモート操作を行うことか可能となる。【００１５】  なお、上記の実施例では、分岐部１６を照明装置１４と案内部材１８との間に設けた実施例で説明したが、本考案はこの構成に限定するものではない。したがって分岐部１６を照明装置１４の内部に設けてもよいし、案内部材１８の外部に設けてもよい。
なお、上記の実施例では、照明装置１４から出ている一つのスイッチ紐２０に対して複数のスイッチ紐２２、２４…を接続する例で説明したが、本考案に係る照明装置はこれに限定するものではなく、複数のリモート操作用のスイッチ紐が予め照明装置に設けられていてもよい。
【産業上の利用可能性】
【００１６】  本考案は、複数のリモート操作用のスイッチ紐を用いて、異なる場所で照明装置の点灯、消灯、輝度調節等のリモート操作を行うことが可能となり、利便性が向上する。
【図面の簡単な説明】
【００１７】
【図１】本考案に係るスイッチ紐を備えた照明装置とその使用状態を示す図である。
【図２】本考案に係るスイッチ紐の分岐部を説明する図である。
【符号の説明】
【００１８】  １０  部屋
１２  天井
１４  照明装置
１６  分岐部
２０  スイッチ紐
２２、２４、２６  スイッチ紐
１８  案内部材
２８  案内部材
３０  扉
【図１】
0003116644.tif 000003
【図２】
0003116644.tif 000004
(57)【要約】【課題】冷え性の人（特に主婦）が冬期間、重ね着をしたり、暖房を過度につけたりすること無く、家事を行えるようにする。【解決手段】ギャルソンタイプのエプロン本体１に、ウールの裏地２をスナップ４により取り付ける。【選択図】  図１
0003116646.tif 000002
【実用新案登録請求の範囲】
【請求項１】
裏地にウールを付けることにより腰回りを保温するエプロン
【考案の詳細な説明】
【考案の詳細な説明】
【考案が解決しようとする課題】
【０００１】  冷え性の主婦は、重ね着して着ぶくれしたり、過度に暖房をつけたりして環境問題の観点からも良くない、という問題を有していた。
【問題を解決するための手段】
【０００２】  上記の問題を解決するために、主婦が在宅の場合に長時間身に付るエプロンにウールの裏地を付けた。
【考案の効果】
【０００３】  ウール地のついたエプロンを身に付けることによって、腰回りにもう１枚セーターを着ているような保温効果が期待できる。さらに、スナップで着脱可能にし、夏期間も使用可能とした。
【図面の簡単な説明】
【図１】エプロンを裏側から見た全体図である。
【図２】エプロン本体からウールの裏地をはずした図である。
【符号の説明】
１  エプロン本体
２  ウールの裏地
３  紐
４  スナップ
【図１】
0003116646.tif 000003
【図２】
0003116646.tif 000004
(57)【要約】      （修正有）【課題】使用後に便座に温もりが残ることが避けられ、次の使用者が不快な思いをすることがない水洗トイレを提供する。【解決手段】ロータンク１から便器２へ放流水を供給する排水パイプ３の管路途中の上流側と下流側とにそれぞれ分岐管６、７を設けると共に、便座５の裏面側に冷却用パイプ８を配設し、該冷却用パイプ８の両端と前記分岐管６、７とをそれぞれフレキシブルパイプ９、９を介して接続し、排水パイプ３を流れる放流水を冷却用パイプ８中に分流させ、便座５を冷却する様にした。【選択図】図１
0003116700.tif 000002
【実用新案登録請求の範囲】
【請求項１】
ロータンク１から便器２へ放流水を供給する排水パイプ３の管路途中の上流側と下流側とにそれぞれ分岐管６、７を設けると共に、便座５の裏面側に冷却用パイプ８を配設し、該冷却用パイプ８の端部と前記分岐管６、７とをそれぞれフレキシブルパイプ９、９を介して接続し、排水パイプ３を流れる放流水を冷却用パイプ８中に分流させ、便座５を冷却する様にしたことを特徴とする水冷式の水洗トイレ。
【考案の詳細な説明】
【技術分野】
【０００１】
この考案は水洗トイレ、詳しくは、便座を冷却することにより、ひんやりとしたさわやかな使用感をもたらすことが出来る洋式の水洗トイレに関するものである。
【背景技術】
【０００２】
水洗トイレには和式と洋式の二タイプが存在しているが、最近では洋式トイレが圧倒的に多くなっている。洋式トイレにおいては、便器の上縁にドーナツ状あるいは馬蹄形をした便座が起伏自在に取り付けられており、この便座の上に着座して用便をする様になっている。
【特許文献１】なし
【非特許文献１】なし
【考案の開示】
【考案が解決しようとする課題】
【０００３】
洋式トイレにおいては、使用後に便座に使用者の体温が残ることは避けられず、他人の温もりが残った便座に腰掛けるのは大変気持ち悪いものである。特に、夏期においては温もりは長時間にわたり残留してしまうので、不快な思いをすることも多かった。本考案者は、洋式トイレの使用に関する上記問題点を解決すべく研究を行った結果、電気設備等を必要とせず、無駄なエネルギーも消費することなく、効率的に使用後の温もりを消すことが出来る便利な水洗トイレを開発することに成功し、本考案としてここに提案するものである。
【課題を解決するための手段】
【０００４】
ロータンク１から便器２へ放流水を供給する排水パイプ３の管路途中の上流側と下流側とにそれぞれ分岐管６、７を設けると共に、便座５の裏面側に冷却用パイプ８を配設し、該冷却用パイプ８の端部と前記分岐管６、７とをそれぞれフレキシブルパイプ９、９を介して接続し、排水パイプ３を流れる放流水を冷却用パイプ８中に分流させ、便座５を冷却する様にして上記課題を解決した。
【実施例】
【０００５】
図１はこの考案に係る水洗トイレの一実施例の斜視図であり、図中１はロータンク、２は便器であり、便器２の上縁にはドーナツ状をしたプラスチック製の便座５が起伏自在に取り付けられている。又、ロータンク１の底部からは便器２へ放流水を供給する排水パイプ３が延設されている。なお、ロータンク１及び便器２自体の構造は、従来の洋式水洗トイレのものと基本的に同一であり、ロータンク１の側面に設けられたロータンクレバー４を操作することにより、ロータンク１内のゴムフロート弁を開き、ロータンク１内に溜めた水を便器２へ一気に放流する様になっている。
【０００６】
そして、この実施例においては、排水パイプ３の管路途中の上流側には、管路内に上向きに取水口１４が開口した分岐管６が、それより距離を隔てた下流側には、分岐管７がそれぞれ取り付けられていると共に、便座５の裏面には便座５の内縁及び外縁に沿う様にループ状に屈曲させられた一本の冷却用パイプ８が配設されており、この便座５の起伏枢支箇所付近に位置している冷却用パイプ８の端部と前記分岐管６、７とはそれぞれフレキシブルパイプ９によって接続されている。
【０００７】
この実施例は上記の通りの構成を有するものであり、ロータンクレバー４を操作してロータンク１内に溜まっている水を排水パイプ３に流し込むと、放流水の一部は上流側の分岐管６を通って便座５の裏面に配設されいる冷却用パイプ８に流れ込み、この冷却用パイプ８内を流動し、下流側の分岐管７を通って再び排水パイプ３に戻り、排水パイプ３内を流れている本流と合流して便器２に送られる。
【０００８】
そして、水が冷却用パイプ８内を流れることにより、便座５の熱は奪い取られ、便座５は冷却され、便座５への着座によって生じる温もりは解消されることになる。
【０００９】
なお、図２に示す様に、上流側の分岐管６と冷却用パイプ８との間にストップバルブ１０を設け、これにより冷却用パイプ８への水の流入を任意に停止出来る様にしておけば、寒冷期などにおいて便座５が過度に冷却されることを防ぐことが出来、室温に応じて一層良好な使用感を得ることが出来る。
【００１０】
又、図３に示す様に、冷却用パイプ８の上流側をウォッシュレット（商品名）の排水側パイプ１１に接続すると共に、分岐管６寄りの管路へワンウェイバルブ１２を設けておけば、ウォッシュレット（商品名）のコントローラー１３を操作することにより、ロータンク１とは独立してウォッシュレット（商品名）の水供給系統から冷却用パイプ８に冷却用の水を送り込み、用便中も便座５を冷却出来るので、用便中の体温上昇に、より適切に対応することが可能となる。
【００１１】
なお、上述の実施例における便座５はドーナツ状をなしているが、図４に示す様に馬蹄形をなした便座５であっても良く、この場合には冷却用パイプ８は図４に示す様に屈曲させて配設すれば良い。
【００１２】
以上、述べた通り、この考案に係る水洗トイレにおいては、用便後の便座の温もりはすみやかに解消され、常にひんやりとしたさわやかな使用感がもたらされる。又、便座５の冷却は基本的にロータンク１に溜めた放流水によって行い、冷却に使った水は排水パイプ３にすべて戻されるので、水の無駄な使用が全くなく、資源の有効利用の観点からも極めてすぐれている。更に、電気を用いた冷却装置等は一切用いていないので、冷え過ぎの心配がなく、故障のおそれもほとんどなく、設置コストも極めて低く、極めて高い実用的価値を有する。
【図面の簡単な説明】
【００１３】
【図１】この考案に係る水洗トイレの一実施例の斜視図。
【図２】図１に示した実施例にストップバルブ１０を付設した例の斜視図。
【図３】同じく、他の例の斜視図。
【図４】馬蹄形の便座５を用いた場合の部分斜視図。
【符号の説明】
【００１４】
１    ロータンク
２    便器
３    排水パイプ
４    ロータンクレバー
５    便座
６    分岐管
７    分岐管
８    冷却用パイプ
９    フレキシブルパイプ
１０    ストップバルブ
１１    排水側パイプ
１２    ワンウェイバルブ
１３    コントローラー
１４    取水口
１５    排水口
【図１】
0003116700.tif 000003
【図２】
0003116700.tif 000004
【図３】
0003116700.tif 000005
【図４】
0003116700.tif 000006
(57)【要約】      （修正有）【課題】発熱を均一にし、低温火傷など発症する恐れがなく、しかも股下部分の温熱効果の期待ができて、疲労回復、胃腸障害の自律回復、腰痛の軽減と治療、痔疾の鎮痛と快癒、前立腺肥大の抑制等に役立つ温熱バンドを提供する。【解決手段】ヒータを内蔵した防水性の腹帯本体は、腹巻部と該腹巻部の下縁部に設けた股下部とよりなり、股下部の先端部は腹巻部に止着自在とすると共に、腹巻部の両端は互いに止着自在となっており、ヒータはコントローラにより調節自在とした温熱バンドである。【選択図】図１
0003116693.tif 000002
【実用新案登録請求の範囲】
【請求項１】
ヒータを内蔵した防水性の腹帯本体は、腹巻部と該腹巻部の下縁部に設けた股下部とよりなり、股下部の先端部は腹巻部に止着自在とすると共に、腹巻部の両端は互いに止着自在となっており、ヒータはコントローラにより調節自在とした温熱バンド。
【考案の詳細な説明】
【技術分野】
【０００１】
本考案は腹帯式の温熱バンドに関する。
【背景技術】
【０００２】
通常、腹部や腰部を暖める場合は、腹巻などに使い捨てカイロなどの暖かいものをはさみ込む等しているが、発熱部に温度むらがあったり、低温火傷などの発症する恐れがあり、又限られた時間内しか発熱しない等の不具合があり、又股下部分の温熱効果は期待できないなどの欠点がある。
【考案の開示】
【考案が解決しようとする課題】
【０００３】
そこで本考案は、発熱を均一にし、低温火傷などの発症する恐れがなく、しかも股下部分の温熱効果の期待できるものを提供しようとするものである。
【課題を解決するための手段】
【０００４】
ヒータを内蔵した防水性の腹帯本体は、腹巻部と該腹巻部の下縁部に設けた股下部とよりなり、股下部の先端部は腹巻部に止着自在とすると共に、腹巻部の両端は互いに止着自在となっており、ヒータはコントローラにより調節自在としたものである。
【考案の効果】
【０００５】
本考案の効果として、発熱を均一にし、低温火傷などの発症する恐れがなく、しかも股下部分の温熱効果の期待ができ、疲労回復、胃腸障害の自律回復、腰痛の軽減と治療、痔疾の鎮痛と快癒、前立腺肥大の抑制等に役立つ。
【実施例】
【０００６】
本案を図示の実施例により詳記すると、図示しないヒータ等の発熱体を内蔵した防水性の腹帯本体１は、腹巻部２と該腹巻部２の下縁部に設けた股下部３とよりなり、股下部３の先端部にはホック、マジックテープ等の一方の雄止着材４を設けて、該止着材４を対応する腹巻部２の表面に設けた他方の雌止着材４’に止着自在とすると共に、腹巻部２の両端には雌雄の止着材５，５’を設けて止着自在となっており、ヒータはコントローラ６により調節自在としてある。
【０００７】
腹帯本体１は発熱、断熱材、反射材、防水布等を積層して構成されており、ヒータはリモートコントローラ
【０００８】
図示していないが、コントロール６之他汎用の加熱防止、安全装置装置などが設けてある。
【図面の簡単な説明】
【０００９】
【図１】本考案に係る温熱バンドの展開説明図。
【符号の説明】
【００１０】
１：腹帯本体
２：腹巻部
４，４’：止着材
５，５’：止着材
６：コントローラ
【図１】
0003116693.tif 000003
(57)【要約】【課題】  簡単な構造で、高級感があるファッション性・装飾性の優れたチャーム付きハンカチーフを提供する。【解決手段】  ハンカチーフ２とチャーム３とに、互いに係合する係合部４，５をそれぞれ設けることにより、ハンカチーフ２とチャーム３とを着脱可能とする。また、チャーム３をアルファベット文字をモチーフとした形状とし、着脱可能にすることにより、消費者は自分のイニシャル文字や好きなチャームを取替えて楽しむことができる。【選択図】  図１
0003116694.tif 000002
【実用新案登録請求の範囲】
【請求項１】
ハンカチーフとチャームとに、互いに係合する係合部をそれぞれ設け、前記ハンカチーフと前記チャームとを着脱可能としたことを特徴とするチャーム付きハンカチーフ。
【請求項２】
前記チャームがアルファベット文字をモチーフとした形状であることを特徴とする請求項１記載のチャーム付きハンカチーフ。
【考案の詳細な説明】
【技術分野】
【０００１】
本考案は、ハンカチーフに身飾品としてのチャームを着脱可能に取り付けたチャーム付きハンカチーフに関する。
【背景技術】
【０００２】
従来、ハンカチーフは汗や洗った手を拭くばかりではなく、消費者の気に入った模様を選ぶことによりファッション性の高い小道具としても使用されてきた。また、所有者の氏名をハンカチーフに記入するか、刺繍をすることにより、ハンカチーフの所有者を分かるようにしていた。
【０００３】
例えば、ファッション性・装飾性を向上させるために、ハンカチーフのベース部と枠状の縁部とを組替えたりしたもの（例えば、特許文献１参照。）等が提案されている。
【特許文献１】実開平０５−６２５０８号公報
【考案の開示】
【考案が解決しようとする課題】
【０００４】
しかしながら、多様化するファッション性において、高級感のあるハンカチーフが要求される中、上記のようにハンカチーフ本体に装飾を施したものや素材の優れたものは多種存在しているが、ハンカチーフ本体と身飾品であるチャームとを組合わせたものは存在していなかった。
【０００５】
そこで本考案は、簡単な構造で、高級感があるファッション性・装飾性の優れたハンカチーフを提供することを目的としている。
【課題を解決するための手段】
【０００６】
上記の目的を達成するため本考案は、ハンカチーフとチャームとに、互いに係合する係合部をそれぞれ設け、前記ハンカチーフと前記チャームとを着脱可能としたことを特徴としている。また、前記チャームがアルファベット文字をモチーフとした形状であることを特徴とすることにより、消費者が自分のイニシャルの文字を選択することで、前記ハンカチーフが所有物であることを表示できる。
【考案の効果】
【０００７】
上述の考案により、ハンカチーフとチャームを着脱可能にしたので、消費者は自分のイニシャル文字や好きなチャームを取替えて楽しむことができる。また、チャームに宝石等の装飾が施されることにより、容易に高級感を醸し出すこともできる。さらに、汚れてしまったハンカチーフ本体を洗濯する場合であっても、チャームを着脱可能とすることにより、チャームが破損されることはない。
【考案を実施するための最良の形態】
【０００８】
以下、本考案の構成を図面に示す実施の形態に基づいて詳細に説明する。
【０００９】
図１及び図２に本考案の実施形態の一例を示す。チャーム付きハンカチーフ１は、ハンカチーフ２とチャーム３とに互いに係合する係合部４，５をそれぞれ設け、ハンカチーフ２とチャーム３とを着脱可能としている。
【００１０】
チャーム３に設けられる係合部５は、チャーム３に一体的に形成された係合リング３ａとナスカン６とを丸カン７で連結することにより構成される。
【００１１】
そして、ハンカチーフ２の角にリング状の係合部４が縫い付けられており、前記ナスカン６を操作して、前記係合部４に係合することにより、ハンカチーフ２にチャーム３が着脱可能に取り付けられる。
【００１２】
また、チャーム３は、図２に示すようなハート型とし、さらに表面に宝石８を取り付けることにより、高級感を醸し出すことも可能である。図３に示すようなアルファベット文字をモチーフにした形状のチャーム３とすれば、消費者のイニシャルと合わせることが可能である。
【００１３】
なお、前記係合部４の形状はリング状に限らなくてもよく、ハンカチーフ２自体に孔を直接設けることにより形成してもよい。
【００１４】
前記係合部５の種類も、前述のナスカン以外に、周知の引き輪やカニカンといった接続金具を利用することができる。もちろん、用いられるハンカチーフ２は、矩形のものに限らず、円形のものでもよく、主に装飾用として用いる例えばレースのみで形成したもの、刺繍やプリントを施したもの或いは無地のものなどでもよい。
【００１５】
さらに、係合部４については、ハンカチーフ２の任意の場所に設けることができるし、複数設けることにより複数のチャーム３を着脱可能としてもよい。
【図面の簡単な説明】
【００１６】
【図１】本考案の一形態例を示すチャーム付きハンカチーフの正面図である。
【図２】ハート型チャームとハンカチーフの係合部の拡大図である。
【図３】Ｓ字型チャームとハンカチーフの係合部の拡大図である。
【符号の説明】
【００１７】
１…チャーム付きハンカチーフ、２…ハンカチーフ、３…チャーム、３ａ…係合リング、４，５…係合部、６…ナスカン、７…丸カン、８…宝石
【図１】
0003116694.tif 000003
【図２】
0003116694.tif 000004
【図３】
0003116694.tif 000005
(57)【要約】【課題】  水中に構築された立体軌道上を、ガスの浮力により動作する昇降機構によって、球体が循環する玩具を提供する。【解決手段】  水中球体循環玩具は、所定の寸法の直径の球体４を、塔１の上端部へガスの浮力を用いて浮上させる球体上昇機構と、この機構にガスを供給するためのガス供給パイプ、塔１の上端部に連結され、着脱自在に互いに連結される複数の断片からなり、球体４を滑降させるための立体軌道３、および、この立体軌道３を支持するための支柱１０、を有することを特徴とする。【選択図】  図１
0003116610.tif 000002
【実用新案登録請求の範囲】
【請求項１】
互いに着脱可能に連結される複数の断片で構成し、方向・傾斜の変更が自在に構築可能な水中軌道、該軌道を滑降する所定の寸法の直径の球体、該球体を前記軌道上端部に復帰させるガスの浮力により動作する昇降機構、を有することを特徴とする水中球体循環玩具。
【考案の詳細な説明】
【技術分野】
【０００１】  本考案は、自由落下による降下と、ガスの浮力を用いた上昇により、球体が軌道を循環する水中玩具に関する。
【背景技術】
【０００２】  従来の球体循環玩具としては、旋回落下するよう設けた軌道を球体が降下し、手やモータの動力によって再び高所へ復帰し循環する玩具がある。
【考案の開示】
【考案が解決しようとする課題】
【０００３】  従来の玩具は、いずれも大気中で実施するものであり、球体の運動速度が速く、モータの動作音も耳障りで、鑑賞に不向きであった。【０００４】  本考案は、上記のような課題に対処してなされたものであり、球体の運動速度を抑え、モータを用いない循環玩具の提供を目的としている。
【課題を解決するための手段】
【０００５】  上記目的を達成するために、本考案による球体循環玩具は、球体の運動速度を抑えるため、実施環境を水中とし、球体を高所へ復帰させる手段には、ガスの浮力を利用することを特徴とする。【０００６】また、球体が循環するために設ける軌道を、互いに着脱自在に連結される複数の断片で構成し、方向・傾斜の変更を自在に構築可能であることを特徴とする。
【考案の効果】
【０００７】  本考案によれば、水中球体循環玩具は、球体が軌道上を滑降する際に、水の抵抗作用により運動速度が抑えられる。水中では、大気中よりも大きな抵抗作用が働くため、球体は緩慢な速度で軌道上を滑降することになり、より鑑賞に適した運動速度が得られる。【０００８】  また、水中でモータを使用するには、モータや配線の防水加工が必要となり、浸水時には電気配線の短絡事故が懸念されるが、本考案では、球体を高所へ復帰させる手段にガスの浮力を利用するため、その危険性がない。
さらに、モータを使用しないことは、消音化に優れた効果がある。
【考案を実施するための最良の形態】  図１および図２は、本考案の水中球体循環玩具の全体を示すものであり、主として本体基板９、昇降部５および塔１を含む球体上昇機構、塔１の上端部から下端部まで球体４を滑降させるための、互いに着脱自在な複数の断片を組み合わせて連結した立体軌道３、この立体軌道３を支持するための支柱１０からなっている。本考案の主要部である昇降部５および塔１を含む球体上昇機構の動作原理を、図３および図４に示す。【０００９】  図３は昇降部５が塔１の下端部にある状態を示す。この水中球体循環玩具では、ガスがガス供給口６から常に一定の割合で供給されるよう設定されている。球体４が立体軌道３上にあるとき、ガス供給口６から供給されるガスは、昇降部５上部に設けたガス排出口１２より、そのまま排出される。そのため、ガスによる浮力は生じず、昇降部５は塔１の下端部にとどまる。【００１０】  図３に示すように、球体４が立体軌道３を滑降し、昇降部５の上部に収容されたとき、球体４は昇降部５上部のガス排出口１２を塞ぐように設定されている。これにより、ガスは排出口から排出されなくなり、昇降部５内に蓄積され、浮力を発生させる。【００１１】  図４（ａ）に示すように、昇降部５内のガスが所定量に達したとき、昇降部５は球体４を収容した状態を維持し、塔１の上端部へ浮上するよう設定されている。このとき、昇降部５は垂直方向に移動するよう、案内溝２と案内板１１により姿勢を保持されている。【００１２】  図４（ｂ）は球体４を収容して浮上した昇降部５が塔１の上端部に到達した状態を示す。昇降部５が塔１の上端部にあるとき、球体４は塔１に連結された立体軌道３に滑降するように設定されている。このとき、球体４に塞がれていた昇降部５の上部にあるガス排出口１２は解放され、昇降部５内に蓄積されていたガスは排出される。【００１３】  図４（ｂ）に示すように、所定量のガスを排出した昇降部５は、自らの重量により沈降するように設定されている。ガスは常に一定の割合で供給されるよう設定されているが、ガス排出口１２が解放されているため、昇降部５内にガスはとどまらず、そのまま排出され、昇降部５は塔１の下端部まで沈降する。そしてこの浮上・沈降の動作が繰り返し行われることになり、結果、球体４が水中立体軌道上を循環する。【００１４】  また、球体が循環するために設ける軌道は、互いに着脱自在に連結される複数の断片で構成されており、方向・傾斜の変更を自在に構築可能であるため、さまざまな経路の軌道を創作し、構築することが可能である。【００１５】  なお、本考案はこれら実施例に限定されることなく、種々の改変が可能である。例えば昇降部５および塔１を含む球体上昇機構を階段状に複数設けたり、水車、シーソー、獅子脅しなど、球体４の動作に変化を与える作動体を設けたりすることも可能である。【００１６】  このように本考案は、球体４を高所へ復帰する手段としてモータを使用しないため、消音化に優れた効果がある。また本考案による水中球体循環玩具は、水中にて実施されるため、水槽などに設置し、外部よりガスを供給する手段をとるが、このとき同水槽内において観賞魚を飼育することも可能である。
【図面の簡単な説明】
【００１７】
【図１】  本考案の一実施形態である水中球体循環玩具を示す全体の斜視図である。
【図２】  本考案の一実施形態である水中球体循環玩具を示し、（ａ）はその全体の側面図、そして（ｂ）は同じく全体の平面図である。
【図３】  本考案の一実施形態である水中球体循環玩具における主要部分の作動体の一実施例である球体上昇機構を示し、その下端部における球体と球体上昇機構を、球体の移動方向に対して垂直な角度からみた断面図である。
【図４】  本考案の一実施形態である水中球体循環玩具における主要部分の作動体の一実施例である球体上昇機構を示し、（ａ）はその上昇中における球体と球体上昇機構を球体の移動方向に対して垂直な角度からみた断面図、そして（ｂ）は同じく上端部における球体と球体上昇機構を球体の移動方向に対して垂直な角度からみた断面図である。
【符号の説明】
【００１８】  １  塔
２  案内溝
３  立体軌道
４  球体
５  昇降部
６  ガス供給口
７  ガス供給パイプ
８  脚
９  本体基板
１０  支柱
１１  案内板
１２  ガス排出口
１３  ガス
【図１】
0003116610.tif 000003
【図２】
0003116610.tif 000004
【図３】
0003116610.tif 000005
【図４】
0003116610.tif 000006
(57)【要約】      （修正有）【課題】耐火陶土で成型焼成した、組み立て式の家庭でも容易に焼けるパン焼装置の提供。【解決手段】数個の部品で構成されてコンロ等の熱源の上に、８の略凹状水溜めと２の炎熱通気孔を設けた１の皿体大と、８の略凹状水溜めの上部に９の複数の蒸気孔を設けた７のパン生地置き用の皿体小と、１の皿体の外周付近に設けた２の炎熱通気孔を塞ぐことなく７のパン生地置き用の複数の蒸気孔を設けた皿体小を、覆い被さるように設置された逆凹状の上部に５の複数の蒸気孔を設けた３の内蓋体に、２重に覆い被さり２の炎熱孔を塞がないように空隙の１２の煙道を設けて設置され上部に６の排煙孔を設けた４の外蓋体とでなる【選択図】図２
0003116603.tif 000002
【実用新案登録請求の範囲】
【請求項１】
中央付近に水溜め用の略凹状を設け、当該略凹状の周辺に複数個の炎熱用通気孔を設けた皿体大と、該略凹状の上方に設置され、複数の蒸気孔を設けた皿体大より小さい皿体小と、該皿体小に覆い被さり中空の逆凹状に設置され上方に複数個の蒸気孔を設けた内蓋体が設置される、該内蓋体に中空の逆凹状に設置された上方に複数個の排煙孔を設けた外蓋体とが二重に構成されたことを特徴であり耐火材で造形し焼成され、該焼成物から放出される遠赤外線で複数の蒸気孔を設けた上部皿体に置かれたパン生地を焼くパン焼装置。
【請求項２】
内蓋体外壁と外蓋体内壁に、空隙の煙道を設けたことを特徴とする請求項１のパン焼装置。
【請求項３】
内蓋体蒸気孔と外蓋体排煙孔の位置は同一方向以外に設けた請求項１のパン焼装置。
【考案の詳細な説明】
【技術分野】
【０００１】
本考案は、耐熱陶土で成型焼成した容器をコンロ等に設置して遠赤外線を利用して簡単にパンを焼く装置である。
【背景技術】
【０００２】
遠赤外線を利用して焼く石窯は、家庭用には、大掛かりになり普及率が低かった。
【考案の開示】
【考案が解決しようとする課題】
【０００３】
石窯は、規模が大型になる為、普通の家庭では、設置場所が確保できない。さらに、燃料の供給場所なども広く確保しなければならず経済的にも負担が大きくなってしまう。したがって耐火陶土で焼成した陶磁器性のパン焼成器を使用することで、石窯で焼いたパンの味を引き出すことが出来、家庭で本格的なパンを焼くことが可能になり前述の欠点を解決しようとするものである。
【課題を解決するための手段】
【０００４】
上面に蒸気発生用の水溜め用凹面を設け、周辺に炎熱の通気孔を設けた皿体大と、パン生地を置く複数個の蒸気孔を設けた皿体小の上部に、中空の逆凹状に設置され上方に複数個の蒸気孔を設けた内蓋体が覆い被さる、該内蓋体に中空の逆凹状に設置された上方に複数個の排煙孔を設けた外蓋体とが二重に構成されたことを特徴であり、煙道の空隙を確保し構成されたパン焼装置により石窯にかかる大きな設備などを必要としなくなって問題点を解決した。
【考案の効果】
【０００５】
上述のように、本考案のパン焼装置は小型軽量で簡単に持ち運びが出来、分割式の為収納場所も取らず、分解掃除も簡単に綺麗に出来る、部品交換が容易に出来るので永続的に安価で購入し長年使用することも出来る、尚且つ石窯にも負けないほどの、遠赤外線を利用したおいしいパンが焼ける。
【考案を実施するための最良の形態】
【０００６】
コンロの上に水溜め用の略凹状と円周付近に炎熱用通気孔を設けた皿体大を設置し、水溜に、お湯或いは水を注いでその上部に複数の蒸気孔を設けた皿体小を設置し、その皿体の上部中央付近にパン生地を置く、更にその皿体小と、パン生地に覆いかぶさる形で逆凹状の中空で上部に複数個の蒸気孔を設けた内蓋体を設置する、さらに逆凹状の中空で上部に複数個の排煙孔を設けた外蓋体を内蓋体に二重に覆いかぶせ複数個の炎熱用通気孔を塞ぐことなく内蓋体の肉厚の外周と外蓋体の肉厚の内周の間に空隙を設け煙道とする。
【実施例】
【０００７】
以下添付図に従って実施例を説明する。１はコンロの上部に設置する略凹状水溜と炎熱通気孔を設けた皿体大、２は皿体大の炎熱通気孔、３は７の皿体小に逆凹形で覆いかぶさり炎熱通気孔の内面に設置される蒸気孔を設けた内蓋体、４は炎熱の通気孔の外周面に設置され３の内蓋体の間に空隙の煙道を設けて設置される６の排煙孔を設けた外蓋体を、それぞれ組み立て７の皿体小の上に１０のパン生地を置き１１の熱源に点火する。
【０００８】
１１の熱源に点火後はしばらくそのまま置いておくとパンが膨らむ。
【０００９】
パンが焼けたころあいを見て、火を止め耐熱手袋などを利用して４の外蓋体を下ろし次に３の内蓋体を下ろし、焼けて膨らんだパンを取り出し、７の皿体小を外し最後に１の皿体大を外す。８の水溜には、蒸しパンを作るときに、水やお湯を張って利用する。
【図面の簡単な説明】
【００１０】
【図１】本考案のパン焼装置の平面図である
【図２】本考案のパン焼装置の側面図である
【図３】本考案のパン焼装置の実施図である
【符号の説明】
【００１１】
１  皿体大
２  皿体大の炎熱通気孔
３  内蓋体
４  外蓋体
５  内蓋体蒸気孔
６  外蓋体排煙孔
７  皿体小
８  水溜め
９  皿体小蒸気孔
１０  パン
１１  熱源
【図１】
0003116603.tif 000003
【図２】
0003116603.tif 000004
【図３】
0003116603.tif 000005
(57)【要約】      （修正有）【課題】５面折り名刺を作ることにより新郎新婦の情報を掲載した結婚式用の席札、あるいは各種イベント用の名刺等、名刺以外の部分を商品広告やカタログに使用することで、その利用範囲を拡大する。【解決手段】あらかじめ折目の入った用紙を作ることにより、個人でも簡単に５面折り名刺を作れる環境が整う。その工法としては、従来の紙パッケージ等に折り目を入れる方法を用いて専用の抜き型を作る。この用紙を５面折りにすると用紙がかさばり、市販の名刺ホルダーに収納しづらくなる。そこで、１箇所のみミシン目をいれることにより、本来の名刺を印刷した面のみ切り取って名刺ホルダーに収納可能とする。【選択図】図１
0003116602.tif 000002
【実用新案登録請求の範囲】
【請求項１】
従来の名刺５枚分の用紙（９１ミリ×２７５ミリ）に５５ミリ間隔で４箇所の折り目を付けた用紙。
【請求項２】
従来の名刺５枚分の用紙（９１ミリ×２７５ミリ）に５５ミリ間隔で３箇所の折り目と１箇所のミシン目を付けた用紙。
【請求項３】
５面折り名刺サイズカードを利用した、結婚式用の席札。
【考案の詳細な説明】
【技術分野】
【０００１】
本考案は、従来の名刺５枚分の用紙に５５ミリ間隔で均等に折り目を入れ、５倍の情報を相手に伝えることが出来る用紙を利用した、結婚式用の席札である。また、この用紙を利用することにより、新商品の発表などの各種イベント用の名刺としても利用可能となる。
【背景技術】
【０００２】
用紙に折り目を入れる方法としては、従来の紙パッケージに折り目を入れる工法を取り入れ、専用の抜き型を作製する。
【０００３】
近年の急速なパソコンの普及により、名刺は個人でも簡単に作れる物になった。そこで、あらかじめ折り目の入った用紙を作ることにより、個人でも簡単に５面折り名刺を作る環境が整うことになる。
【考案の開示】
【考案が解決しようとする課題】
【０００４】
解決しようとする問題点は、個人でも簡単に５面折り名刺が作れる用紙の作製である。
【課題を解決するための手段】
【０００５】
本考案は、従来の紙パッケージ等に折り目を入れる工法を用い、専用の抜き型を作製する。
【考案の効果】
【０００６】
従来、招待客の名前を印刷しただけのカードである席札に、５面折り名刺サイズカードを使用することにより、新郎新婦のプロフィールや写真等が印刷出来るようになる。
【考案を実施するための最良の形態】
【０００７】
新規に専用の抜き型を制作することで、あらかじめ折り目の入った用紙を作り、個人でも簡単に５面折り名刺が作れる。
【０００８】
図１は、本考案用紙を広げた状態の正面図であって、１のみミシン目もしくは折り目であり、２〜４は折り目である。図２は折り曲げた状態の断面図である。
【産業上の利用可能性】
【０００９】
本考案は結婚式用の席札以外にも、各種イベント用のＰＲカード、コンパクトサイズメニュー、カタログ、名刺としても利用可能である。他にもＱＲコードを印刷することにより、さらに利用範囲が広がる。
【図面の簡単な説明】
【００１０】
【図１】５面折り名刺を広げた状態の正面図である。
【図２】５面折り名刺を折曲げた状態の断面図である。
【符号の説明】
【００１１】
１          ミシン目（または折り目）
２〜４      折り目
５〜９      印刷面（表面）
１０〜１４  印刷面（裏面）
【図１】
0003116602.tif 000003
【図２】
0003116602.tif 000004
【手続補正書】
【提出日】平成17年9月15日(2005.9.15)
【手続補正１】
【補正対象書類名】実用新案登録請求の範囲
【補正対象項目名】全文
【補正方法】変更
【補正の内容】
【実用新案登録請求の範囲】
【請求項１】
名刺５枚分（縦幅２７５ミリメートル横幅９１ミリメートル）の用紙に５５ミリ間隔で４箇所の折り目を付けた用紙。
【請求項２】
名刺５枚分（縦幅２７５ミリメートル横幅９１ミリメートル）の用紙に５５ミリ間隔で３箇所の折り目と１箇所のミシン目を付けた用紙。
【請求項３】
請求項２の用紙からなる５面折り名刺サイズカードを利用した、結婚式用の席札。
【手続補正３】
【補正対象書類名】明細書
【補正対象項目名】０００１
【補正方法】変更
【補正の内容】
【０００１】
本考案は、名刺５枚分の用紙に５５ミリ間隔で均等に折り目を入れ、５倍の情報を相手に伝えることが出来る用紙を利用した、結婚式用の席札である。また、この用紙を利用することにより、新商品の発表などの各種イベント用の名刺としても利用可能となる。
(57)【要約】      【課題】  本考案は、仏壇内部の使用面積を広くし、有効に使えるよう、位牌の奥壁内面に固定したので、位牌と仏壇のデザインの巾と自由度を増し、より現代の困難な住宅事情に対応しうる仏壇の制作が容易になり、新規のユーザーの掘り起こしが期待できる。      【解決手段】  位牌の裏側を平面状にし、両面テープ、接着剤、嵌合等によって仏壇奥壁内面に支持せしめ、位牌、仏壇を一体化し、仏壇の奥壁内面に、平板状に形成した位牌を取付けたことを特徴とした仏壇。位牌は取付け式で、仏壇奥壁内面及び仏壇内だけでなく、仏壇のデザインによっては、仏壇外側前面等の取り付けも可能。      【選択図】図１
0003116667.tif 000002
【実用新案登録請求の範囲】
【請求項１】
仏壇の奥壁内面に、平板状に形成した位牌を取付けたことを特徴とした仏壇。
【請求項２】
仏壇の奥壁内面に鍵形孔を形成し、平板状の位牌に突起を設けて鍵形孔に引っ掛けることによって、その位牌を取付けたことを特徴とした請求項１記載の仏壇。
【請求項３】
平板状の位牌を仏壇奥壁内面に両面テープにて取付けたことを特徴とした請求項１記載の仏壇。
【請求項４】
平板状の位牌を仏壇奥壁内面に接着剤にて取付けたことを特徴とした請求項１記載の仏壇。
【請求項５】
平板状の位牌裏側と仏壇奥壁内面の双方に、中央且つ適当高さに凹部を設け木棒によって接続せしめたことを特徴とした請求項１記載の仏壇。
【考案の詳細な説明】
【技術分野】
【０００１】
本考案は位牌を直接取付ける、仏壇の構造に関するものである。
【背景技術】
【０００２】
従来の仏壇の構造は、上の壇から下の壇へと前方に突出するような階段状の構造でありそれなりの装飾も必要で、本尊、位牌、お供え物や、供花、灯明等を置くため、各壇の面積は限定されて狭く、特に関東地方では、本尊の両脇に位牌を於いて、須弥壇を位牌壇としても使用するが、年月が経過するに従って次第に位牌が増えるので、位牌の収納に困難が生じることがある。
【考案の開示】
【考案が解決しようとする課題】
【０００３】
本考案は、仏壇内部の使用面積を広くし、有効に使えるよう、位牌の奥壁内面に固定したので、位牌と仏壇のデザインの巾と自由度を増し、より現代の困難な住宅事情に対応しうる仏壇の制作が容易になり、新規のユーザーの掘り起こしが期待できる。
【課題を解決するための手段】
【０００４】
本考案は以上のような現状に鑑み、仏壇奥壁内面に、まず中央且つ適当高さに、裏側平面状の位牌を取付ける。年月と共に増える位牌は、左右側面に取付けることで対応しうるので、仏壇内部への影響は、従来の仏壇に比べてわずかである。
【考案の効果】
【０００５】
（１）請求項１により、位牌の素材は、金属、石材等の重量物でも対応しうるので、素材の巾は各段に広がる。
（２）請求項１〜請求項４により、奥壁内面に位牌を取付けるので、仏壇の必要面積は従来より減少、より小型化が可能になり、住宅事情から購入を控えていた、新規の需要が期待できる。
（３）更に、奥壁内面に位牌を取付けるので、位牌、仏壇、共にデザインの自由度が増し新規の需要が期待できる。
【考案を実施するための最良の形態】
【０００６】
以下本考案の実施の形態を示す図面に基ずき説明する。
【実施例１】
【０００７】
図２に示す如く、仏壇奥壁内面図Ａと断面図Ｂであって、仏壇奥壁内面１には、鍵形孔５を有し、位牌裏側３には、鍵形孔５に差し込み支持せしめる突起６を設けてある。
断面図Ｂは位牌４を奥壁内面１に取付け時の形態を示した。。この位牌４突起６は木、又は石、金属、合成樹脂などで作られるが、実施例１においては石、金属等の重量材に適している。
【実施例２】
【０００８】
図３に示す如く、仏壇奥壁内面図Ａと断面図Ｂであって、位牌裏側３に両面テープ７を張りつけ、奥壁内面１の中央且つ適当高さに取付ける。断面図Ｂは、位牌４を奥壁内面１に取付け時の形態を示した。木。合成樹脂等の軽量材に適している。
【実施例３】
【０００９】
図４に示す如く、仏壇奥壁内面図Ａと断面図Ｂであって、位牌裏側３に接着剤８を塗布し、奥壁内面１の中央且つ適当高さに取付ける。断面図Ｂは、位牌４を奥壁内面１に取付け時の形態を示した。
【実施例４】
【００１０】
図５に示す如く、仏壇奥壁内面図Ａと断面図Ｂであって、位牌裏側３と仏壇奥壁内面１双方に、中央且つ適当高さに凹部を設け木棒によって接続支持せしめる。断面図Ｂは、位牌４を奥壁内面１に取付け時の形態を示した。
【産業上の利用可能性】
【００１１】
（１）本考案の位牌は取付け式なので、仏壇奥壁内面及び仏壇内だけでなく、従来の仏壇のイメージにとらわれない、新発想の仏壇のデザインによっては、仏壇外側前面等の可能性も考えられる。
【図面の簡単な説明】
【００１２】
【図１】（Ａ）仏壇の正面図（Ｂ）同上の断面図
【図２】（Ａ）位牌の取付け前の正面図（Ｂ）同上の取付け後の断面図
【図３】（Ａ）位牌の取付け前の正面図（Ｂ）同上の取付け後の断面図
【図４】（Ａ）位牌の取付け前の正面図（Ｂ）同上の取付け後の断面図
【図５】（Ａ）位牌の取付け前の正面図（Ｂ）同上の取付け後の断面図
【符号の説明】
【００１３】
１、奥壁内面      ４、位牌          ７、両面テープ    １０、凹部
２、奥壁          ５、鍵形孔        ８、接着剤        １１、扉
３、位牌裏側      ６、突起          ９、木棒（タボ）
【図１】
0003116667.tif 000003
【図２】
0003116667.tif 000004
【図３】
0003116667.tif 000005
【図４】
0003116667.tif 000006
【図５】
0003116667.tif 000007
(57)【要約】      （修正有）【課題】通電によりニクロム線を焼き切る際の高熱で点火を行い、即時点火を可能にする。また、点火時に焼損するニクロム線を容易に交換できるようにすることで、発射制御が行い易く、安価な飛翔花火即時点火具を提供する。【解決手段】飛翔花火の火薬筒内に挿入し、通電により瞬間的に焼き切られるニクロム線１は電極２に架橋され、電力線４の片端で心線と接続し固定されたソケット３に組み合わされており、点火後焼損したニクロム線１は、電極２とともに着脱交換する。【選択図】図１
0003116627.tif 000002
【実用新案登録請求の範囲】
【請求項１】
電力線の一端に架橋したニクロム線を飛翔花火の火薬筒内に挿入し、電灯用電源程度の電力で瞬間的に焼き切る高熱により、導火線を用いず火薬に即時点火する、飛翔花火即時点火具。
【請求項２】
ニクロム線を電力線から着脱自在とすることで、点火により焼損したニクロム線を容易に交換することができる、請求項１の飛翔花火即時点火具。
【考案の詳細な説明】
【技術分野】
【０００１】  本考案は、ニクロム線を用いて飛翔花火を即時点火する点火具に関するものである。
【背景技術】
【０００２】  従来、飛翔花火はマッチ、ライター、線香、ローソク等の火種を利用し、花火に付属する導火線を介して点火するものであった。火種や導火線を用いずに点火する装置としては、花火点火具並びにこの装置に適用する飛翔花火の製造方法（特許公開平０８−０７５３９９号公報参照）が電気ヒーターを使った点火装置としてあった。
【考案の開示】
【考案が解決しようとする課題】
【０００３】  飛翔花火の発射制御を行う場合、従来の火種と導火線を用いた点火方法では火薬への点火時間に遅延やばらつきが生じ、点火のタイミングを調整することが困難である。加えて、市販の花火に付属する導火線は信頼性が低く、点火不良を起こすことがある。【０００４】  電気ヒーターの熱で飛翔花火の点火と発射制御を行う場合は、通電から点火温度に達するまでの遅延をあらかじめ想定して設計する必要がある。そのため、装置自体の機構が複雑で高価なものとなってしまう。また再使用を前提としているために、ヒーターが劣化しない程度までの温度となり火薬への確実な点火が難しい。【０００５】  本考案では、ニクロム線を比較的高い電力で瞬間的に焼き切り、その高熱で導火線を介さず火薬に即時点火を行えるようにするものである。さらに、焼損するニクロム線部分を着脱自在なモジュール化し、迅速で安価な交換を可能とするものである。
【課題を解決するための手段】
【０００６】  請求項１に記載された考案は、飛翔花火即時点火具であって、電力線の片端で心線と組み合わせ固定されたソケットと、逆Ｕ字型に成形したニクロム線を架橋した電極を接続したものを、導火線を取り除いた飛翔花火の火薬筒内へ挿入し、電灯用電源程度の電力により瞬間的に焼き切り、その高熱で火薬に即時に点火することを特徴とする。【０００７】  請求項２に記載された考案は、請求項１に記載の飛翔花火即時点火具であって、電極とそれに架橋したニクロム線をモジュール化し、電力線とはソケットにより着脱自在としたことで、点火後、焼損したモジュールを迅速かつ安価に交換できることを特徴とする。
【考案の効果】
【０００８】  請求項１に記載された考案によれば、電灯用電源程度の電力でニクロム線は瞬間的に焼き切れ、その高熱で飛翔花火筒内の火薬は即時にかつ確実に点火される。従って、発射制御等への応用性が高い点火具を提供することができる。【０００９】  請求項２に記載された考案によれば、通電により焼損したモジュールをソケットから取り外し、新しいものと交換することで、再度点火に利用することができる。従って、安価に繰り返し利用できる点火具を提供することができる。
【考案を実施するための最良の形態】
【００１０】  以下本考案の実施例は図面を用いて説明する。図１は本考案の一実施例を示す斜視図である。本考案はニクロム線１を電極２に架橋したモジュールと、ソケット３を有する電力線４からなる。図２は本考案の一部切欠断面図で電極２とソケット３の関係と構造を示す図である。ニクロム線１は直径０．３ミリ、長さ３０ミリ程度のものを逆Ｕ字型に成形し、電極２として用いるピンソケットのメス側に架橋し固定する。また、電力線４としてビニル平型コードを用い、その片端にソケット３として高オスタイプのピンソケットのオス側を差込固定する。電力線の長さは点火を行う環境に応じて調整する。そして、ソケット３にモジュールの電極２を接続することで、全体を構成する。【００１１】  支柱等で固定した本考案を、導火線を取り除いた飛翔花火の火薬筒内に挿入し、火薬とニクロム線を接触させる。電力線の他端は、スイッチやリレー等を介して電源と接続する。【００１２】  本考案は通電を行うと、ニクロム線１が瞬間的に焼き切れ、その高熱で火薬に点火する。点火後、ニクロム線１は焼損するのでソケット３から電極２ごと取り外し、新しいモジュールに交換することで再度点火に利用可能である。
【産業上の利用可能性】
【００１３】  本考案は、飛翔花火の点火を電気的に行うため、電子機器やコンピュータなどを用いた発射制御が容易である。また、導火線を介さず遅延のない点火が可能なので、音楽と同調させた発射等が可能である。【００１４】  構造が単純であり、民生品を用いているので信頼性が高く、消耗部品の入手も容易である。それにより安価で早く生産することができ、大量消費にも適している。さらに点火時に焼損する箇所のみを交換可能としたことで低ランニングコストでの利用が可能である。
【図面の簡単な説明】
【００１５】
【図１】本考案の一実施例を示す斜視図である。
【図２】本考案の一部切欠断面図で電極２とソケット３の関係と構造を示す図である。
【符号の説明】
【００１６】  １  ニクロム線
２  電極
３  ソケット
４  電力線
【図１】
0003116627.tif 000003
【図２】
0003116627.tif 000004
(57)【要約】      （修正有）【課題】ホイッスルと筆記用具用のキャップを一体化することにより、筆記用具を握ったまま、ホイッスルを吹いたり筆記用具で書いたりするという２つの動作がスムーズにできるようにする。【解決手段】ホイッスル１との筆記用具用のキャップ２を一体化し、ホイッスルの吹き口の下に紐通し穴３を付けて、首からぶら下げた時に、キャップに入れられた筆記用具の先が下を向き、ホイッスルの吹き口が上を向くようにし、筆記用具を握ったままの状態で持ち替えることなく吹いたり書いたりすることができることを特徴とする。【選択図】図１
0003116622.tif 000002
【実用新案登録請求の範囲】
【請求項１】
ホイッスルの吹き口の反対側に鉛筆やボールペン等の筆記用具のキャップ付けて一体化し、ホイッスルを吹くことと、筆記用具で書くことが、持ち替えることなくできることを特徴とするホイッスル。
【考案の詳細な説明】
【技術分野】
【０００１】  本考案は、ホイッスルにボールペンや鉛筆等の筆記用具用のキャップを設けた、ホイッスルに関するものである。
【背景技術背景】
【０００２】  スポーツに関わる指導者や体育教師等は、スタートの合図や試合の審判の時に鳴らすホイッスルと、記録用するための筆記用具の両方を持ち替えながら併用していた。
【考案の開示】
【考案が解決しようとする課題】
【０００３】  ホイッスルと筆記用具を併用するということは、視線を移して持ち替える必要があり、動作の負担も大きい。さらに、ストップウオッチも併用しなければならない時は、その負担がさらに増す。また、両方が紐で首からぶら下げるタイプのものであれば、両方の紐がからみあうこともある。従って、ホイッスルにキャップを付けて、筆記用具と一体化することにより、ホイッスルを吹くことと書いて記録する動作がスムーズになることで前述の欠点を解決している。
【課題を解決するための手段】
【０００４】  本考案は、ホイッスルの吹き口の反対側に筆記用具用のキャップを設けたので、筆記用具を握った状態でホイッスルを吹き、視線を筆記用具に移したり、持ち替えたりすることなく書くことができるということにより問題点を解決している。
【考案の効果】
【０００５】  上述の様に、本考案のキャップ付ホイッスルは、学校体育のスポーツテストや、運動能力を記録する時に有効である。例えば、３０秒間に何回腹筋運動ができるか記録したり、１０メートルを何秒で走ることができるか記録したりといった、ストップウオッチと併用する時や、学校体育の時間にバスケットボールの主審をしながら生徒のプレーの評価を記録する時などに、ホイッスルと筆記用具の持ち替えのもたつきをなくしたり、視線を運動者に向け続けることができるという点で役立つ。さらに、筆記用具を使用しない時は、その先をキャップに収めて汚れたり刺さったりすることを防ぐことができる。
【考案を実施するための最良の形態】
【０００６】  本考案は、ホイッスルの吹き口の下に紐をつけることで、首からぶら下げた時に、筆記用具の先が下を向き、ホイッスルの吹き口が上を向くようにする。このことで、筆記用具を握った状態で、視線を移して持ち替えることなくホイッスルを吹いたり、記録を書いたりすることができる。
【実施例】
【０００７】  以下、添付図面に従って一実例を説明する。１は筆記用具用のキャップの頭の部分に付けられたホイッスルで、２は筆記用具用のキャップで、この一体化したものを首からぶら下げられるように、３のように紐を通す穴をホイッスルの吹き口の下に設ける。紐のからまりを防ぐために、４のリングをつける。
【図面の簡単な説明】
【０００８】
【図１】本考案のキャップ付ホイッスルの一実施例を示す図である。
【符号の説明】
【０００９】  １  筆記用具用のキャップの頭の部分と一体化したホイッスル
２  筆記用具用のキャップ
３  紐通し穴
４  リング
５  全体を首からぶら下げるための紐
【図１】
0003116622.tif 000003